(57)【特許請求の範囲】
【請求項１】
折り返しターミナルを有するウェッジタイプの光源バルブが装着される、ウェッジベースを挿入するための孔が設けられているソケットにおいて、
前記ソケット本体のウェッジベース挿入孔の入口付近に、該ソケット本体と別体に構成され、ソケット本体の爪と係合する係合環を有するバルブ保持具が取り付けられており、
上記バルブ保持具がウェッジベースに対向している部分は、該ウェッジベースの挿入離脱を妨げない形状であって、かつ、ソケットに装着された状態のウェッジベースの根本付近にほぼ密着し、ウエッジバルブの折り返しターミナルに対向当接する位置決め部が設けられていることを特徴とするウェッジバルブ用ソケット。
【発明の詳細な説明】
【０００１】
【発明の属する技術分野】
本発明は、車両用灯具の光源として用いられるウェッジタイプのバルブを装着して保持するとともに、上記のバルブに給電するためのソケットに関するものである。
【０００２】
【従来の技術】
図４は、本発明に係るソケットによって保持する対象部材であるウェッジタイプのバルブを示し、（Ａ）はシングルフィラメント形ウェッジバルブの正面図、（Ｂ）はダブルフィラメント形ウェッジバルブの正面図である。
シングルフィラメント形ウェッジバルブ１は、ガラス管球１ａの中に、フィラメント１ｂがリード線１ｃによって保持されている。このリード線１ｃがガラス管球１ａから引き出されている部分は、ピンチシールされるとともに楔（ウェッジ）形に成形されてウェッジベース１ｄを形成している。
上記ウェッジベース１ｄから引き出されたリード線１ｃの先端は、該ウェッジベース１ｄに沿って折曲げられて折返しターミナル１ｅを形成している。本発明において折返しターミナルはリード線の一部分である。本例のシングルフィラメント形ウェッジバルブ１においてはリード線１ｃが２本であるから、その内の１本は破線で描いたようにウェッジベース１ｄの向う側に折り返されて折返しターミナル１ｅを形成し、他の１本は実線で描いたようにウェッジベース１ｄの手前側に折り返されて折返しターミナル１ｅを形成している。本図４（Ａ）から理解されるように、シングルフィラメント形ウェッジバルブ１には２個の折返しターミナル１ｅが形成され、矢印Ｅ方向に見た底面図を考えてみたとき該２個の折返しターミナルはウェッジベース１ｄに対して点対称（回転対称）的に配置されていて、線対称（鏡像対称）的配置ではない。
【０００３】
図４（Ｂ）に示したダブルフィラメント形ウェッジバルブ２は、ガラス管球２ａの中にメインフィラメント２ｂとサブフィラメント２ｃとが配置されているので、リード線２ｄの数は４本である。従って、該リード線の先端が成形されてなる折返しターミナル２ｆの個数は４個であり、ウェッジベース２ｅの向う側に２個、手前側に２個配置されている。このように、ダブルフィラメント形ウェッジバルブ２の折返しターミナル２ｆは、仮想の底面図においてウェッジベース２ｅに対してほぼ線対称（鏡像対称）的に配置されている。
【０００４】
図５は、前掲の図４（Ｂ）に示したダブルフィラメント形ウェッジバルブを従来例のソケットに装着した状態を示し、中心線を含む面によって切断して描いた模式的な断面図である。
ダブルフィラメント形ウェッジバルブ２に形成されているウェッジベース２ｅは、ソケット本体３のウェッジ挿入孔に差し込まれており、該ソケット本体３の中に設置されているフレキシブルターミナル４が折返しターミナル２ｆに対して弾性的に接触・導通している。しかしフレキシブルターミナル４は、ウェッジバルブ２を位置決めして機械的に固定する機能を有していない。ウェッジバルブ２は、ソケット本体３によってウェッジ先端部２ｇを支持されているが、ウェッジの根本部２ｈを剛性部材で支持されていないので、その位置決め支持が弾性的であって、ウェッジ先端部２ｇ付近を中心として往復円弧矢印ａ−ａ′のように若干揺動する。
【０００５】
【発明が解決しようとする課題】
車両用灯具における光源バルブは、そのフィラメントの位置がリフレクタ（図外）に対して光学的に定められているので、図５のようなダブルフィラメント形であるか前述（図４（Ａ））のようなシングルフィラメント形であるかを問わず、ウェッジバルブが揺動すると灯具の光学的性能が変化して所定の配光特性が得られない。前記の図５は単一断面図であるから、さらに２面図についてウェッジバルブの支持状態を詳しく説明すると次のとおりである。
図６は、従来例のソケットによるウェッジバルブの支持状態を説明するための模式図であって、ソケット本体のウェッジ挿入孔付近を実線で描くとともにウェッジバルブを鎖線で描き、フレキシブルターミナルとリード線とを省略してあり、（Ａ）はダブルフィラメントバルブ用ソケットの断面図、（Ｂ）はそのＢ−Ｂ断面矢視図、（Ｃ）はシングルフィラメントバルブ用ソケットの断面図、（Ｄ）はそのＤ−Ｄ断面図である。
ダブルフィラメント形ウェッジバルブは、前掲の図４（Ｂ）について説明したように、折返しターミナル２ｆがウェッジベース２ｅに対して表裏対称に配置されているので、本図６（Ａ），（Ｂ）に示すように、位置決め部５ａ，５ｂが、ウェッジベース２ｅの両側（本図６において左，右両側）に配設されているが、本図６（Ｂ）に表されているように、ウェッジ先端２ｇを中心とする往復円弧矢印ａ−ａ′方向の揺動を阻止できない。さらに、図６（Ａ）に符号ｓで示した個所に空隙が有るので、図示の軸ｘまわりの揺動も生じる。
【０００６】
シングルフィラメント形ウェッジバルブは、前掲の図４（Ａ）について説明したように、折返しターミナル１ｅがウェッジベース１ｄに対して表裏非対称、かつ、回転対称的に配置されているので、本図６（Ｃ）に示すように位置決め部６ａ，６ｂがウェッジベース１ｄに対して表裏非対称に配置されている。このため、本図６（Ａ），（Ｂ）について前述したダブルフィラメントバルブ用ソケット５におけると同様に、シングルフィラメント用バルブソケット６においても往復円弧矢印ａ−ａ′方向およびｘ軸まわりの揺動を生じることの他に、本図６（Ｃ）に示した矢印ｒ，ｒ′方向の回動を生じる虞れも有る。
【０００７】
本発明は上述の事情に鑑みて為されたものであって、ウェッジ形バルブ用のソケットを改良して、保持しているウェッジバルブが揺動する虞れを無くしようとするものであって、ダブルフィラメントバルブ用ソケットにもシングルフィラメントバルブ用ソケットにも適用することができる。
【０００８】
【課題を解決するための手段】
上記の目的を達成するための創作した本発明の基本的な原理について、その実施形態に対応する図１（Ａ）を参照して略述すると次のとおりである。すなわち、ダブルフィラメント形ウェッジバルブ２のウェッジベース２ｅは、ダブルフィラメントバルブ用ソケット７のウェッジ挿入孔７ｄに挿入され、ウェッジ先端２ｇが位置決め部７ａ，７ｂによって挟みつけられる。図１（Ａ）について以上に説明した構成部分は従来例（図６（Ｂ）参照）と同様ないし類似であって、この構成だけではダブルフィラメント形ウェッジバルブ２の往復円弧矢印ａ−ａ′方向の揺動を防止できない。
そこで本発明は、ソケットのウェッジ挿入孔７ｄの入口部に、ソケット本体と別体のバルブ保持具８を取りつけて、ダブルフィラメント形ウェッジバルブ２の揺動を防止する。以上に説明した原理に基づいて本発明に係るウェッジバルブ用ソケットの構成は、折り返しターミナルを有するウェッジタイプの光源バルブが装着される、ウェッジベースを挿入するための孔が設けられているソケットにおいて、
前記ソケット本体のウェッジベース挿入孔の入口付近に、該ソケット本体と別体に構成され、ソケット本体の爪と係合する係合環を有するバルブ保持具が取り付けられており、  上記バルブ保持具がウェッジベースに対向している部分は、該ウェッジベースの挿入離脱を妨げない形状であって、かつ、ソケットに装着された状態のウェッジベースの根本付近にほぼ密着し、ウエッジバルブの折り返しターミナルに対向当接する位置決め部が設けられていることを特徴とする。
以上に説明した本発明に係るウェッジバルブ用ソケットによると、ウェッジタイプの光源バルブのウェッジベースの根本付近が、ソケット本体と別体の保持具に形成された位置決め部によって位置決め保持されて、当該ウェッジタイプ光源バルブの揺動が防止される。
しかも、前記バルブ保持具が係合環を有していて、この係合環がソケット本体の爪に係合するので、別体に構成されたバルブ保持具がソケット本体に対して確実に装着される。
上記のバルブ保持具がソケット本体と別体に構成されているので、該ソケット本体に対するソケット用ターミナル等の付属部材の組み付け作業を妨げる虞れが無い。さらに、前記保持具がソケット本体と別体に構成されるので材質の選択自由度が大きく、位置決め機能に必要な剛性を有する範囲内で適宜の弾性を持たせることができる。しかも前記の保持具は、ソケットに対するウェッジバルブの着脱操作を妨げることが無く、ダブルフィラメントバルブ用ソケットにもシングルバルブ用ソケットにも適用することができる。
前述のごとくウェッジバルブの揺動が防止されるので、リフレクタに対するバルブフィラメント（すなわち光源）の光学的位置が確定し、灯具の特性を安定させることができる。このような揺動防止の効果は、例えば自動車用灯具の光源バルブ用ソケットのように、振動を受ける稼働条件下で用いられる場合に実用的価値が高い。
【０００９】
【発明の実施の形態】
図１は本発明に係るウェッジバルブ用ソケットの実施形態の２例を示す模式的な断面図であって、ソケットの本体部分のウェッジ挿入孔付近を実線で描くとともにウェッジバルブを鎖線で描き、ソケットのフレキシブルターミナルとバルブのリード線とは図示を省略してあり、（Ａ）はダブルフィラメント形ウェッジバルブ用ソケットを、（Ｂ）はシングルフィラメント形ウェッジバルブ用ソケットを、それぞれ表している。
本図１（Ａ）を前掲の図６（Ｂ）に示した従来例に比較すると、ダブルフィラメント形ウェッジバルブ２およびそのウェッジ先端２ｇは同様の部材である。そして、同一の名称を付したソケットの位置決め部７ａ，７ｂは図６（Ｂ）の位置決め部５ａ，５ｂと類似の構成部分である。本発明を適用して改良されている点は、ソケットのウェッジ挿入孔の入口部にバルブ保持具８を装着して、ウェッジベース２ｅの根本付近を挟みつけて、ダブルフィラメント形ウェッジバルブ２のａ−ａ′方向の揺動およびｘ軸まわりの揺動を防止したことである。
本図１（Ｂ）を前掲の図６（Ｄ）に比較すると、主として異なるところは、バルブ保持具１０を装着してシングルフィラメント形ウェッジバルブ１の直交３軸まわりの揺動，回動を防止したことである。
【００１０】
図２は、模式図である前掲の図１（Ａ）に示されている構成部分を含めた全体的な詳細断面図である。
メインフィラメント２ｂおよびサブフィラメント２ｃを備えたダブルフィラメント形ウェッジバルブ２のウェッジベースが、ダブルフィラメントバルブ用ソケット７のウェッジ挿入孔に差し込まれている。フレキシブルターミナル４は従来例（図５）におけると類似の構成部分である。図示の１１は、当該ダブルフィラメントバルブ用ソケット７を図外の灯具本体に装着する際の防水用ゴムリングであり、図示の１２は、コネクタターミナル７ｅに対応するハーネスコネクタ（図示せず）の防水用ゴムブッシュである。
【００１１】
図示の８は、先に述べたバルブ保持具であって、その詳細な構造は図３を参照して後述するが、係合環８ｂを爪７ｃに係合してソケット本体部に装着されている。図示の８ａは、バルブ保持具８に形成されてウェッジバルブに当接している位置決め部を示しているが、図面の縮尺が小さいので正確に保持部を表しておらず、保持部が配設されている位置を概要的に示しているものである。
【００１２】
図３は、前掲の図２の実施形態におけるバルブ保持具の詳細を示した３面図であって、（Ａ）は前掲の図２に示した矢印Ａ方向に見て描いた正面外観図であり、（Ｂ）はその断面ｂ−ｂ矢視図であり、（Ｃ）はこれを矢印Ｃ方向に見て描いた側面図である。
本図３に示した実施形態は、図４（Ｂ）に示したダブルフィラメント形ウェッジバルブ２に対応せしめて構成したものである。該ダブルフィラメント形ウェッジバルブ２は、同図４（Ｂ）に表されているようにウェッジベース２ｅに対して表裏対称に各２個、計４個の折返しターミナル２ｆが設けられている。本図３（Ａ）に示されている４個の位置決め部８ａは上記４個の折返しターミナルに対向当接するように構成されている。（図４参照）ウェッジ部２ｅの両面は平行２面ではなく、ソケットに挿入された位置を弾性的に保持するための凹凸が形成されているが、４個の折返しターミナル２ｆのそれぞれは、折曲げた個所以外は直線状をなしている。従って、図３（Ａ）のように４個の位置決め部８ａを折返しターミナルに対向当接せしめるように構成すると、該位置決め部８ａはウェッジバルブのウェッジ部の挿入，離脱を妨げることなく、折返しターミナルに密着してウェッジバルブの揺動（前述の往復円弧矢印ａ−ａ′）を防止する。
図３（Ａ）に示した２個の位置決め部８ｃは、ウェッジベースの両側面に当接してｘ軸まわりの揺動を防止する。
【００１３】
【発明の効果】
以上に本発明の実施形態を挙げてその構成・機能を明らかならしめたように、本発明に係るウェッジバルブ用ソケットによると、ウェッジタイプの光源バルブのウェッジベースの根本付近が保持具によって位置決め保持されて、当該ウェッジタイプ光源バルブの揺動が防止される。
しかも、前記バルブ保持具が係合環を有していて、この係合環がソケット本体の爪に係合するので、別体に構成されたバルブ保持具がソケット本体に対して確実に装着される。
上記のバルブ保持具がソケット本体と別体に構成されているので、該ソケット本体に対する付属部材の組付け作業を妨げる虞れが無い。さらに、前記の保持具がソケット本体と別体であるから材質の選択自由度が大きく、適宜の物性の保持具を構成しやすい。
前述のごとくウェッジバルブの揺動が防止されるので、リフレクタに対する光源位置が確定される。このような揺動防止の効果は、例えば自動車用灯具の光源バルブ用ソケットのように、振動を受ける稼働条件下で用いられる場合に実用価値が高い。
【図面の簡単な説明】
【図１】本発明に係るウェッシバルブ用ソケットの実施形態の２例を示す模式的な断面図であって、ソケットの本体部分のウェッジ挿入孔付近を実線で描くとともにウェッジバルブを鎖線で描き、ソケットのフレキシブルターミナルとバルブのリード線とは図示を省略してあり、（Ａ）はダブルフィラメント形ウェッジバルブ用ソケットを、（Ｂ）はシングルフィラメント形ウェッジバルブ用ソケットを、それぞれ表している。
【図２】模式図である前掲の図１（Ａ）に示されている構成部分を含めた全体的な詳細断面図である。
【図３】前掲の図２の実施形態におけるバルブ保持具の詳細を示した３面図であって、（Ａ）は前掲の図２に示した矢印Ａ方向に見て描いた正面外観図であり、（Ｂ）はその断面ｂ−ｂ矢視図であり、（Ｃ）はこれを矢印Ｃ方向に見て描いた側面図である。
【図４】本発明に係るソケットによって保持する対象部材であるウェッジタイプのバルブを示し、（Ａ）はシングルフィラメント形ウェッジバルブの正面図、（Ｂ）はダブルフィラメント形ウェッジバルブの正面図である。
【図５】前掲の図４（Ｂ）に示したダブルフィラメント形ウェッジバルブを従来例のソケットに装着した状態を示し、中心線を含む面によって切断して描いた模式的な断面図である。
【図６】従来例のソケットによるウェッジバルブの支持状態を説明するための模式図であって、ソケット本体のウェッジ挿入孔付近を実線で描くとともにウェッジバルブを鎖線で描き、フレキシブルターミナルとリード線とを省略してあり、（Ａ）はダブルフィラメントバルブ用ソケットの断面図、（Ｂ）はそのＢ−Ｂ断面矢視図、（Ｃ）はシングルフィラメントバルブ用ソケットの断面図、（Ｄ）はそのＤ−Ｄ断面図である。
【符号の説明】
１…シングルフィラメント形ウェッジバルブ、１ａ…ガラス管球、１ｂ…フィラメント、１ｃ…リード線、１ｄ…ウェッジベース、１ｅ…折返しターミナル、１ｆ…ウェッシ先端、２…ダブルフィラメント形ウェッジバルブ、２ａ…ガラス管球、２ｂ…メインフィラメント、２ｃ…サブフィラメント、２ｄ…リード線、２ｅ…ウェッジベース、２ｆ…折返しターミナル、２ｇ…ウェッジ先端、３…ソケット本体、４…フレキシブルターミナル、５…ダブルフィラメントバルブ用ソケット、５ａ，５ｂ…位置決め部、６…シングルフィラメントバルブ用ソケット、６ａ，６ｂ…位置決め部、７…ダブルフィラメントバルブ用ソケット、７ａ，７ｂ…位置決め部、７ｃ…爪、７ｄ…ウェッジ挿入孔、７ｅ…コネクタターミナル、８…バルブホルダ、８ａ…位置決め部、８ｂ…係合環、８ｃ…位置決め部、９…シングルフィラメントバルブ用ソケット、１０…バルブ保持具、１１…ゴムリング、１２…ゴムブッシュ、ａ，ａ′…バルブの揺動方向、ｘ…バルブの揺動中心軸。
【図１】
0003843530.tif 000002
【図２】
0003843530.tif 000003
【図３】
0003843530.tif 000004
【図４】
0003843530.tif 000005
【図５】
0003843530.tif 000006
【図６】
0003843530.tif 000007